(57)【要約】  本発明の実施例はセル選択方法、装置及び通信システムを提供する。該方法は、セルの基地局がユーザ装置に指示情報を送信することを含み、前記指示情報は前記セルがアクセスオンリーのセルであるかを指示する。ユーザ装置は前記指示情報を受信し、前記指示情報に基づいて又は前記指示情報及び他の幾つかのファクターに基づいて、前記セルがアクセスオンリーのセルであるかを確定する。本実施例の方法、装置及びシステムにより、UEは、受信したセルの状態（アクセスオンリー）に基づいて、該セルにキャンプ／アクセスするかを確定することができるため、UEの適切なセルへの選択又は再選択を加速することができる。
2017504268.tif 000002
【特許請求の範囲】
【請求項１】
セル選択装置であって、
送信ユニットを含み、
前記送信ユニットは、ユーザ装置に指示情報を送信し、前記指示情報は、前記セル選択装置の所在する基地局によりカバーされるセルがアクセスオンリー（access-only）のセルであるかを指示する、セル選択装置。
【請求項２】
請求項1に記載のセル選択装置であって、
前記指示情報により、前記装置の所在する基地局によりカバーされるセルがアクセスオンリーのセルであると指示されている場合、前記指示情報はさらに、前記ユーザ装置が前記セルに成功裏にキャンプ（camp）するとすぐに前記セルへのアクセスを試みなければ、前記ユーザ装置が前記セルにキャンプすることを許可しないことを指示する、セル選択装置。
【請求項３】
請求項1に記載のセル選択装置であって、
前記指示情報は前記セルのシステム情報に含まれる、セル選択装置。
【請求項４】
請求項3に記載のセル選択装置であって、
前記システム情報は、共通無線リソース制御（RRC）シグナリングにより搬送され、又は、物理ブロードキャストチャネル（PBCH）により搬送される、セル選択装置。
【請求項５】
請求項4に記載のセル選択装置であって、
前記共通RRCシグナリングは、第一システム情報ブロック（SIB1）シグナリングである、セル選択装置。
【請求項６】
請求項1に記載のセル選択装置であって、
前記指示情報はユーザ装置の専用RRCシグナリングにより搬送される、セル選択装置。
【請求項７】
請求項1に記載のセル選択装置であって、
前記送信ユニットはさらに前記ユーザ装置に失効指示情報を送信し、これにより、前記ユーザ装置は、前記失効指示情報に基づいて、又は、前記失効指示情報及び前記ユーザ装置の能力に基づいて、前記セルがアクセスオンリーのセルであるかを確定する、セル選択装置。
【請求項８】
セル選択装置であって、
セルの基地局により送信された指示情報を受信するための受信ユニット；及び
前記指示情報に基づいて前記セルがアクセスオンリー（access-only）のセルであるかを確定するための確定ユニットを含む、セル選択装置。
【請求項９】
請求項8に記載のセル選択装置であって、
前記確定ユニットは、前記指示情報により、前記セルがアクセスオンリーのセルであると指示されているときに、前記セルがアクセスオンリーのセルであると確定する、セル選択装置。
【請求項１０】
請求項8に記載のセル選択装置であって、
前記確定ユニットは、前記指示情報により、前記セルがアクセスオンリーのセルであると指示されているときに、受信された、前記基地局により送信された失効指示情報、及び／又は、前記セル選択装置の所在するユーザ装置の能力に基づいて、前記セルがアクセスオンリーのセルであるかを確定する、セル選択装置。
【請求項１１】
請求項10に記載のセル選択装置であって、
前記セル選択装置の所在するユーザ装置が第一類ユーザ装置であるときに、前記確定ユニットは、前記セルがアクセスオンリーのセルであると確定し、
前記セル選択装置の所在するユーザ装置が第二類ユーザ装置であるときに、前記確定ユニットは、前記セルが非アクセスオンリーのセルであると確定する、セル選択装置。
【請求項１２】
請求項8に記載のセル選択装置であって、
前記確定ユニットは、前記指示情報により、前記セルが非アクセスオンリーのセルであると指示されているときに、前記セルが非アクセスオンリーのセルであると確定する、セル選択装置。
【請求項１３】
請求項8に記載のセル選択装置であって、
前記受信ユニットにより前記指示情報が受信されたときに、前記セル選択装置の所在するユーザ装置がランダムアクセスを行っているかを判断するための判断ユニット；及び
前記判断ユニットにより、前記ユーザ装置がランダムアクセスを行っていると判断されたときに、前記セルを、前記ユーザ装置がセル再選択を行うための候補セルの一つとするための処理ユニットをさらに含む、セル選択装置。
【請求項１４】
請求項13に記載のセル選択装置であって、
前記処理ユニットはさらに、前記判断ユニットにより、前記ユーザ装置がランダムアクセスを行わないと判断されたときに、前記セルに関連する情報を記憶する、セル選択装置。
【請求項１５】
請求項14に記載のセル選択装置であって、
前記セルに関連する情報は、前記セルのセル標識（ID）、セル周波数、及び／又は、セル状態を含む、セル選択装置。
【請求項１６】
請求項15に記載のセル選択装置であって、
前記セル状態は、前記セルがアクセスオンリーのセルであることを含む、セル選択装置。
【請求項１７】
請求項14に記載のセル選択装置であって、
前記処理ユニットはさらに、前記ユーザ装置がランダムアクセスを行っており、且つ、前記ユーザ装置が間もなくセル選択又は再選択を行うときに、前記セルをセル選択又は再選択のための候補セルの一つとし、また、セル選択又は再選択のプロセスにおいて、記憶されている前記セルに関連する情報を用いることにより、前記候補セルを評価しまた前記候補セルと他の候補セルとを比較するために用いられる、セル選択装置。
【請求項１８】
請求項8に記載のセル選択装置であって、
アクセス制御ユニットをさらに含み、
前記アクセス制御ユニットは、前記確定ユニットにより、前記セルがアクセスオンリーのセルであると確定されているときに、前記セル選択装置の所在するユーザ装置が前記セルにキャンプするとタイマーを起動させ、前記タイマーの制限時間内に前記ユーザ装置が前記セルへのランダムアクセスを起動していないときに、前記タイマーが切れた後にセル選択又は再選択を行うために用いられる、セル選択装置。
【請求項１９】
基地局及びユーザ装置を含む通信システムであって、
前記基地局は、前記ユーザ装置に指示情報を送信するように構成され、前記指示情報は、前記基地局によりカバーされるセルがアクセスオンリー（access-only）のセルであるかを指示し、
前記ユーザ装置は、前記指示情報を受信し、前記指示情報に基づいて前記セルがアクセスオンリーのセルであるかを確定するように構成される、通信システム。
【発明の詳細な説明】
【技術分野】
【０００１】
本発明は、通信分野に関し、特に、セル選択方法、装置及び通信システムに関する。
【背景技術】
【０００２】
移動通信の発展の中では、第一世代移動通信から第四世代移動通信まで、スペクトル効率（Spectrum  Efficiency、SE）が、ずっと、移動通信システムを評価する重要な指標の一つである。如何にスペクトル効率を上げてユーザ（UE、User  Equipment）の伝送レートをより一層向上させることができるかも、移動通信システムの設計過程において解決すべき重要な問題の一つである。今のところに議論されている第五世代移動通信の構想では、グレーン通信（Green  Communications）が第五世代移動通信のビジョンになっている。学界及び産業界での幅広い議論によれば、SEの他にエネルギー効率（Energy  Efficiency、EE）も移動通信を評価する重要な指標になる見込みがある。
【０００３】
第四世代までの移動通信の中では、主にマクロセル(Macro  cell)をメインとする。しかしながら、将来の移動通信では、カバレッジを保証し得るだけでなく、トラフィックのニーズや装置のオーバーヘッドも合理的に調整し得るために、マクロセル及びスモールセル（small  cells）が共存するヘテロジーニアス配置（Heterogeneous  deployment）であって、マクロセルがユーザのカバレッジを担当し、スモールセルがユーザのデータのオフロード（offloading）を担当するものが、移動通信システムの主なシナリオの一つになる可能性がある。代表的なスモールセルは、マイクロセル（micro  cells）、ピコセル（Pico  Cells）及びフェムトセル（Femto  cells）を含む。スモールセルに比べ、マクロセル基地局の送信電力が比較的大きい。それ相応に、マクロセル基地局の電力増幅器（Power  Amplifier、PA）及びRF（Radio  Frequency、RF）ユニットの消費電力もかなり大きいため、基地局装置の正常な動作を維持するためにエアコンディショナーをさらに設置する必要がある。よって、マクロセル基地局のEEがスモールセルより明らかに低い。スモールセルは、エネルギーの節約及び柔軟な配置という面において明らかな利点を有する。
【０００４】
通常の場合、各マクロセルがサービングするユーザ数が比較的多いため、ユーザの総数及びセル全体のトータルな上り下りトラフィックは安定である傾向がある。スモールセルのカバレッジの面積が比較的小さいため、各スモールセルが同時にサービングするユーザ数はマクロセルのユーザ数よりも遥かに小さい。また、比較的小さいカバレッジの面積により、移動中のユーザが、該ユーザの移動速度が小さくても、一つのスモールセルに停留する時間も短くなる。例えば、スモールセルの直径が50mであり、ユーザの移動速度（歩行速度）が3ｋｍ／ｈであるとすると、該ユーザが該スモールセルのカバレッジ内に停留し得る持続時間は僅か60秒である。よって、スモールセル内のユーザの動的変化（ユーザが一つのスモールセルに加入し、又は、一つのスモールセルから離れる）は非常に速い。また、スモールセルによりサービングされるユーザ数が比較的少ないから、いずれのユーザが新しいトラフィックを開始し、又は、既存のトラフィックを終了することにより、スモールセル全体の上り下りデータのニーズを変える可能性がある。
【０００５】
スモールセルのこのような比較的速い動的特性は、ユーザ数及びデータのニーズの各スモールセル間における不均等分布を引き起こすおそれがある。例えば、一つのスモールセルが満負荷で稼働している時に、隣接するスモールセルは、低負荷状態ひいてはアイドル状態にある可能性がある。
【０００６】
なお、上述の背景技術についての紹介は、本発明の技術案を明確且つ完全に説明し、当業者がそれを理解しやすいためのものである。これらの案は、本発明の背景技術の一部に記述されているため、当業者にとって周知であると解釈すべきではない。
【発明の概要】
【発明が解決しようとする課題】
【０００７】
本発明の実施例は、ユーザの適切なセルへの選択を加速するために、セル選択方法、装置及び通信システムを提供する。
【課題を解決するための手段】
【０００８】
本発明の実施例の第一側面によれば、セル選択方法が提供され、そのうち、前記方法は、
セルの基地局がユーザ装置に指示情報を送信することを含み、
前記指示情報は、前記セルがアクセスオンリー（access-only）のセルであるかを指示する。
【０００９】
本発明の実施例の第二側面によれば、セル選択方法が提供され、そのうち、前記方法は、
ユーザ装置がセルの基地局により送信された指示情報を受信し；及び
前記ユーザ装置が、前記指示情報に基づいて、前記セルがアクセスオンリーのセルであるかを確定することを含む。
【００１０】
本発明の実施例の第三側面によれば、セル選択装置が提供され、そのうち、前記装置は、
ユーザ装置に指示情報を送信するための送信ユニットを含み、
前記指示情報は、前記装置の所在する基地局によりカバーされるセルがアクセスオンリーのセルであるかを指示する。
【００１１】
本発明の実施例の第四側面よれば、セル選択装置が提供され、そのうち、前記装置は、
セルの基地局により送信された指示情報を受信するための受信ユニット；及び
前記指示情報に基づいて、前記セルがアクセスオンリーのセルであるかを確定するための確定ユニットを含む。
【００１２】
本発明の実施例の第五側面によれば、基地局が提供され、そのうち、前記基地局は、前述の第三側面に記載のセル選択装置を含む。
【００１３】
本発明の実施例の第六側面によれば、ユーザ装置が提供され、そのうち、前記ユーザ装置は、前述の第四側面に記載のセル選択装置を含む。
【００１４】
本発明の実施例の第七側面によれば、通信システムが提供され、前記通信システムは、基地局及びユーザ装置を含み、そのうち、
前記基地局は、ユーザ装置に指示情報を送信するように構成され、前記指示情報は、前記基地局によりカバーされるセルがアクセスオンリーのセルであるかを指示し、
前記ユーザ装置は、前記指示情報を受信し、そして、前記指示情報に基づいて前記セルがアクセスオンリーのセルであるかを確定するように構成される。
【００１５】
本発明の実施例の他の側面によれば、コンピュータ可読プログラムが提供され、そのうち、基地局中で前記プログラムを実行する時に、前記プログラムは、コンピュータに、前記基地局中で前述の第一側面に記載のセル選択方法を実行させる。
【００１６】
本発明の実施例の他の側面によれば、コンピュータ可読プログラムを記憶した記憶媒体が提供され、そのうち、前記コンピュータ可読プログラムは、コンピュータに、基地局中で前述の第一側面に記載のセル選択方法を実行させる。
【００１７】
本発明の実施例の他の側面によれば、コンピュータ可読プログラムが提供され、そのうち、ユーザ装置中で前記プログラムを実行する時に、前記プログラムは、コンピュータに、前記ユーザ装置中で前述の第二側面に記載のセル選択方法を実行させる。
【００１８】
本発明の実施例の他の側面によれば、コンピュータ可読プログラムを記憶した記憶媒体が提供され、そのうち、前記コンピュータ可読プログラムは、コンピュータに、ユーザ装置中で前述の第二側面に記載のセル選択方法を実行させる。
【００１９】
本発明の実施例の有益な効果は、本発明の実施例におけるセル選択方法、装置及び通信システムにより、エネルギーを節約し、セル密集分布時のセル間の干渉を低減することができる。
【００２０】
後述の説明及び図面を参照することにより、本発明の特定の実施形態を詳しく開示しており、本発明の原理を採用し得る態様を示している。なお、本発明の実施形態は、範囲上ではこれによって限定されない。添付した特許請求の範囲内であれば、本発明の実施形態は、様々な変更、修正及び代替によるものを含んでも良い。
【００２１】
また、１つの実施形態について説明した及び／又は示した特徴は、同じ又は類似した方式で１つ又は複数の他の実施形態に用い、他の実施形態中の特徴と組み合わせ、又は、他の実施形態中の特徴を置換することもできる。
【００２２】
なお、「含む／有する」のような用語は、本明細書に使用されるときに、特徴、要素、ステップ、又は、アセンブルの存在を指すが、１つ又は複数の他の特徴、要素、ステップ、又は、アセンブリの存在又は付加を排除しないということも指す。
【図面の簡単な説明】
【００２３】
含まれている図面は、本発明の実施例への更なる理解を提供するために用いられ、これらの図面は、本明細書の一部を構成し、本発明の実施形態を例示し、文字記載とともに本発明の原理を説明するために用いられる。また、明らかのように、以下に記載されている図面は、本発明の幾つかの実施例を示すためのものに過ぎず、当業者は、創造性のある労働をせずに、これらの図面に基づいて他の図面を得ることもできる。
【図１】本発明の実施例におけるセル選択方法の一実施方式のフローチャートである。
【図２】本発明の実施例におけるセル選択装置の一実施方式の構成図である。
【図３】本発明の実施例における基地局の一実施方式の構成図である。
【図４】本発明の実施例におけるのセル選択方法の他の実施方式のフローチャートである。
【図５】本発明の実施例におけるセル選択装置の他の実施方式の構成図である。
【図６】本発明の実施例におけるユーザ装置の一実施方式の構成図である。
【図７】本発明の実施例における通信システムのトポロジー構造を示す図である。
【発明を実施するための形態】
【００２４】
添付した図面及び以下の説明を参照することにより、本発明の前述及び他の特徴は明らかになる。明細書及び図面には、具体的に本発明の特定の実施方式を開示しているが、それらは、本発明の原理を採用し得る一部の実施方式だけである。なお、本発明は、記載されている実施方式に限定されず、即ち、添付した特許請求の範囲内で全ての変更、変形及び代替によるものも含む。以下、図面をもとに、本発明の各種の実施方式について説明する。なお、これらの実施方式は例示に過ぎず、本発明を限定するためのものではない。
【００２５】
エネルギーを節約し、スモールセル密集分布時のセル間の干渉を低減するために、スモールセルを動的に開閉する方法は既にLTE規格に導入されている。このような動的開閉は、セルを迅速にオン（turn  on）する又はオフ（turn  off）するメカニズムによるものである。あるスモールセルにはサービングされる必要があるUEがなく、又は、あるスモールセル及びその周りのスモールセルがすべて低負荷状態にあるとき、該スモールセルによりサービングされている現在のユーザを隣接するスモールセルに切り換え（handover）、その後に、該スモールセルをオフしても良い。オフ状態にあるスモールセルには一つの新しいユーザが到達しており、そのカバレッジ内の既存のユーザの新しいデータパケットが到達しており、又は、該スモールセルをオンする条件を満たす他のイベントが発生しているとき、このスモールセルは、新しいユーザをサービングし、又は、大きいデータパケットの伝送をオフロードするために、オンすることができる。
【００２６】
動的に開閉され得るあるスモールセルによりサービングされるユーザについて言えば、即ち、該ユーザが該スモールセル中でRRC_CONNECTED状態にあるとき、スモールセルの動的開閉による影響を制御することができる。なぜなら、該ユーザがスモールセルと接続されているため、スモールセルは、オフする前に、該ユーザを隣接するセルに切り換えることができるからである。また、動的に開閉され得るスモールセルにキャンプする（Camp）ユーザについて言えば、即ち、該ユーザが該スモールセル中でRRC_IDLE状態にあるとき、スモールセルの動的開閉による影響を制御することができない可能性がある。なぜなら、一つのユーザが一つのセルにおいてアイドル状態にあるときに、該ユーザは、該セルの下り信号とのタイミング同期を保ち、該セルの下り信号の品質を定期的にモニタリングし、及び、該セルのブロードキャスト情報及びページング（Paging）情報を定期的にリスニングするだけからである。このような場合、セルは、そのカバレッジにおいてRRC_IDLE状態にあるUEが幾つあるかも把握することができない。従来のセルの基地局は、できるだけ、IDLE状態にあるUEに、セル再選択（Cell  Reselection）又はセル選択（Cell  selection）により、そのキャンプするセルを比較的スムーズに変更させることができるが、IDLE状態にある各UEがこの再選択プロセスをタイムリーに開始することを保証する能力がない。
【００２７】
このような問題を解決するために、アイドルユーザが動的に開閉され得るセルにキャンプすることを一切許可しないという方法がある。しかし、これは、ユーザが該セルにアクセスするためのランダムアクセスプロセスを自発的に開始することができず、ハンドオーバーのみにより該セルにアクセスして該セルの基地局によりサービングされることを引き起こすおそれがある。なぜなら、一つのユーザが一つのセルにアクセスしてみるために先ず該セルにキャンプする必要があり、アイドルユーザが動的に開閉され得るセルにキャンプすることを完全に禁止することは、一つのユーザが該セルにアクセスするためのランダムアクセスプロセスを自発的に開始できないことを意味するからである。スモールセル密集配置のシナリオでは、一つのマクロ基地局が複数のスモールセルをカバーする可能性があり、スモールセル間の干渉を回避及び調整するために、これらのスモールセルのうちの多くのスモールセルは動的に開閉可能である。よって、ユーザがハンドオーバーのみによりスモールセルにアクセスしてサービングされ得るなら、大量の不必要なハンドオーバーを生じるおそれがあり、且つ、このようなハンドオーバーは、余計な時間遅延を来す可能性がある。研究によると、一つ又は複数のユーザが、あるスモールセルによりサービングされる必要があるときに、スモールセルがこのようなサービスをタイムリーに開始すればするほど、ネットワークにより得られる利得が大きい。
【００２８】
この問題を解決するために、本発明の実施例は、前述のスモールセルシステム下での動的に開閉され得るセルに適用され得るだけでなく、他のセル密集配置のシナリオにも応用され得る解決案を提供している。なお、本実施例は、これに限定されない。
【００２９】
以下、図面を参照しながら、本発明の実施例における方法、装置及びシステムについて詳細に説明する。
【実施例１】
【００３０】
本発明の実施例はセル選択方法を提供する。図1は該方法のフローチャートであり、図1に示すように、該方法は次のステップを含む。
【００３１】
ステップ101：セルの基地局がユーザ装置に指示情報を送信し、前記指示情報は、前記セルがアクセスオンリー（access-only）のセルであるかを指示する。
【００３２】
本実施例では、アクセスオンリーとは、該セルは、アクセスのみを目的とするユーザが該セルにキャンプすることを許可するということを指す。言い換えると、該ユーザが該セルに成功裏にキャンプすると直ぐに該セルにアクセスしてみないと、該セルは、該ユーザがキャンプすることを許さない。
【００３３】
そのうち、直ぐに該セルへのアクセスを試みるための一実施方式は、UEが該セルに成功裏にキャンプすると直ぐにタイマーを起動させ、該タイマーの制限時間内に該UEが該セルへのランダムアクセスを起動していなければ、該UEは該タイマーが切れた後にセル再選択を行い、該タイマーの制限時間内に該UEが該セルへのランダムアクセスを起動すると、該タイマーは直ぐに停止することができ、該UEは正常なアクセスプロセスを行うことができるということである。
【００３４】
本実施例では、一つのセルが“アクセスオンリー”と指示されており、又は、一つのセルの状態が“アクセスオンリー”と見なされていれば、一つのユーザが該セルに成功裏にキャンプすると直ぐに該セルへのアクセスを試みる場合、該ユーザがこのセルにキャンプすることが許され、他の場合、該ユーザが該セルにキャンプすることが許されない。
【００３５】
本実施例の一実施方式では、一つのセルがアクセスオンリーであると指示されていれば、該指示情報はさらに、ユーザ装置が成功裏に前記セルにキャンプすると直ぐに前記セルにアクセスしてみないと、前記ユーザ装置が前記セルにキャンプすることが許されないということを指示しても良い。
【００３６】
本実施方式では、セルの状態（アクセスオンリー又は非アクセスオンリー）を指示しているほかに、アクセスオンリーと指示している場合、どのようなUEが該セルにキャンプすることができかも指示しているため、UEが該セルにキャンプ／アクセスするかを確定するために更なる根拠を提供している。
【００３７】
本実施例の一実施方式では、該指示情報は、前記セルのシステム情報に含まれても良い。ここでのシステム情報は、共通無線リソース制御（RRC、Radio  Resource  Control）シグナリングにより搬送されても良く、物理ブロードキャストチャネル（PBCH、Physical  Broadcast  Channel）により搬送されても良く、本実施例ではこれに限定されない。
【００３８】
本実施方式では、該共通RRCシグナリングは、第一システム情報ブロック（SIB1）シグナリングであっても良い。例えば、SIB1に1ビット、例えば、ビット“cellAccessOnly”を追加することにより、該セルがアクセスオンリーのセルであるかを指示することができる。そのうち、該ビットは、列挙型ビットであっても良く、その値は、“access  only（アクセスオンリー）”又は“not  access  only（非アクセスオンリー）”であり、これにより、該セルがアクセスオンリーのセルであるかどうかをそれぞれ指示することができる。
【００３９】
本実施方式では、複数のPLMN（Public  Land  Mobile  Network）がSIB1により指示されているときに、ビット“cellAccessOnly”により指示されているドメインは、これらのPLMNの共通のものであっても良く、あるPLMNの専用のものであっても良く、本実施例ではこれに限定されない。
【００４０】
本実施例の他の実施方式では、該指示情報は、ユーザ装置の専用RRCシグナリングにより搬送されても良い。
【００４１】
本実施方式では、該指示情報を搬送するためのユーザ装置の専用RRCシグナリングは、RRCConnectionReleaseシグナリングであっても良い。例えば、該UEは、該セルと接続されている状態にあり、即ち、RRC_CONNECTEDの状態を保っているとする。該セルの基地局が該UEにRRCConnectionReleaseシグナリングを送信するときに、即ち、該UEが該セルとのRRC接続を切るように指示するときに、該セルの基地局は、RRCConnectionReleaseシグナリングに該指示情報を携帯させることにより、該UEに、該セルが“アクセスオンリー”のセルであるかを知らせることができる。
【００４２】
本実施例の一実施方式では、該方法はさらに次のステップを含み、即ち、
ステップ102：セルの基地局がユーザ装置に失効指示情報を送信し、この失効指示情報により、前記ユーザ装置に、ステップ101で送信されている指示消息がどのような状況において失効するかを指示する。これにより、UEは、該失効指示情報とともに、該UEにとって該セルがアクセスオンリーのセルであるかを確定することができる。そのうち、具体的な確定方法については、後述の実施例の中で詳しく説明する。
【００４３】
本実施例では、該セル選択方法は、UEがセル選択を行うために用いられても良く、UEがセル再選択を行うために用いられても良い。
【００４４】
本実施例における方法により、セルの現在の状態（アクセスオンリー又は非アクセスオンリー）をUEに通知することで、UEは、これに基づいて、該セルを選択し得るかをできるだけ早く確定することができるため、UEの適切なセルへの選択又は再選択を加速することができる。本発明の実施例はさらにセル選択装置を次の実施例2に記載にように提供する。該セル選択装置が問題を解決する原理は実施例1の方法と同様であるので、その具体的な実施は、実施例1における方法の実施を参照することができ、内容が同じである重複説明は省略される。
【実施例２】
【００４５】
本発明の実施例はセル選択装置を提供する。図2は該装置200の構成図である。図2に示すように、該装置200は次のユニットを含む。
【００４６】
送信ユニット201：ユーザ装置に指示情報を送信し、前記指示情報は、前記装置の所在する基地局によりカバーされるセルがアクセスオンリーのセルであるかを指示する。
【００４７】
本実施例の一実施方式では、該指示情報により、前記装置の所在する基地局によりカバーされるセルがアクセスオンリーのセルであると指示されている場合、該指示情報はさらに、前記ユーザ装置が成功裏に前記セルにキャンプすると直ぐに前記セルにアクセスしてみないと、前記ユーザ装置が前記セルにキャンプすることを許可しないことを指示して良い。
【００４８】
本実施例の一実施方式では、該指示情報は前記セルのシステム情報に含まれる。
【００４９】
そのうち、前記システム情報は、共通無線リソース制御（RRC）シグナリングにより搬送されてもよく、物理ブロードキャストチャネル（PBCH）により搬送されても良い。
【００５０】
そのうち、該共通RRCシグナリングは、第一システム情報ブロック（SIB1）シグナリングであっても良い。
【００５１】
本実施例の他の実施方式では、該指示情報は、ユーザ装置の専用RRCシグナリングにより搬送されても良い。
【００５２】
本実施例の一実施方式では、送信ユニット201はさらに前記ユーザ装置に失効指示情報を送信するために用いられ、これにより、前記ユーザ装置は、前記失効指示情報に基づいて、又は、前記失効指示情報及び前記ユーザ装置の能力に基づいて、前記セルがアクセスオンリーのセルであるかを確定することができる。
【００５３】
本実施例における装置により、セルの現在の状態（アクセスオンリー）をUEに通知することで、UEは、これに基づいて、該セルを選択し得るかをできるだけ早く確定することができるため、UEの適切なセルへの選択又は再選択を加速することができる。
【実施例３】
【００５４】
本発明の実施例は基地局を提供し、該基地局は実施例2に記載のセル選択装置を含む。
【００５５】
図3は本発明の実施例における基地局の一実施方式の構成図である。図3に示すように、基地局300は中央処理装置（CPU）301及び記憶器302を含み、記憶器302は中央処理装置301に結合される。そのうち、該記憶器302は各種データを記憶することができ、情報処理用のプログラムを記憶することができ、また、中央処理装置301の制御により、ユーザ装置が送信した各種情報を受信し且つユーザ装置にリクエスト情報を送信するために、該プログラムを実行することもできる。
【００５６】
一実施方式では、セル選択装置の機能は中央処理装置301に統合することができる。そのうち、中央処理装置301は、ユーザ装置に指示情報を送信するように構成されても良く、前記指示情報は、前記基地局によりカバーされるセルがアクセスオンリーのセルであるかを指示する。
【００５７】
オプションとして、該指示情報により、前記装置の所在する基地局によりカバーされるセルがアクセスオンリーのセルであると指示されている時に、前記指示情報はさらに、前記ユーザ装置が成功裏に前記セルにキャンプすると直ぐに前記セルへのアクセスを試みないと、前記ユーザ装置が前記セルにキャンプすることを禁止することも指示する。
【００５８】
オプションとして、前記指示情報は前記セルのシステム情報に含まれる。
【００５９】
オプションとして、前記システム情報は、共通無線リソース制御（RRC）シグナリングにより搬送され、又は、物理ブロードキャストチャネル（PBCH）により搬送される。
【００６０】
オプションとして、前記共通RRCシグナリングは、第一システム情報ブロック（SIB1）シグナリングである。
【００６１】
オプションとして、前記指示情報は、ユーザ装置の専用RRCシグナリングにより搬送される。
【００６２】
他の実施方式では、セル選択装置は中央処理装置301と別々に配置されてもよく、例えば、セル選択装置は中央処理装置301に接続されるチップとして構成されてもよく、また、中央処理装置301の制御によりセル選択装置の機能を実現することができる。
【００６３】
また、図3に示すように、基地局300はさらに送受信機303及びアンテナ304などを含んでも良く、そのうち、これらの部品の機能は従来技術に類似したので、ここでは詳しい説明を省略する。なお、基地局300は必ずしも図3に示す全ての部品を有する必要がない。また、基地局300はさらに図3に示されていない部品を含んでも良く、なお、これについては従来技術を参照することができる。
【００６４】
本実施例における基地局により、セルの現在の状態（アクセスオンリー）をUEに通知することで、UEはこれに基づいて該セルを選択し得るかをできるだけ早く確定することができるため、UEの適切なセルへの選択又は再選択を加速することができる。
【実施例４】
【００６５】
本発明の実施例はさらにセル選択方法を提供し、該方法は実施例1の方法に対応するUE側の処理である。そのうち、実施例1と同じである内容の重複説明は省略される。図4は該方法のフローチャートであり、図4に示すように、該方法は次のステップを含む。
【００６６】
ステップ401：ユーザ装置が、セルの基地局により送信された指示情報を受信し；
ステップ402：前記ユーザ装置が、前記指示情報に基づいて、前記セルがアクセスオンリーのセルであるかを確定する。
【００６７】
本実施例の一実施方式では、基地局が送信した上述指示情報は、具体的に、該指示情報を受信した全てのUEにとって、該セルがアクセスオンリーのセル又は非アクセスオンリーのセルであることを指示しても良い。即ち、受信した該指示情報により、前記セルがアクセスオンリーのセルであると指示されていれば、ユーザ装置は、前記セルがアクセスオンリーのセルであると確定し、受信した該指示情報により、前記セルが非アクセスオンリーのセルであると指示されていれば、ユーザ装置は、前記セルが非アクセスオンリーのセルであると確定する。
【００６８】
本実施例の他の実施方式では、基地局が送信した上述指示情報は、具体的に、該指示情報を受信したUEがそれ自身の能力とともに、該セルが該UEにとってアクセスオンリーのセルであるか、それとも、非アクセスオンリーのセルであるかを確定し得ると指示しても良い。
【００６９】
例えば、前記指示情報により、前記セルがアクセスオンリーのセルであると指示されている場合、前記ユーザ装置が第一類ユーザ装置でれば、前記ユーザ装置は、前記セルがアクセスオンリーのセルであると確定し、前記ユーザ装置が第二類ユーザ装置であれば、前記ユーザ装置は、前記セルが非アクセスオンリーのセルであると確定する。そのうち、該第一類ユーザ装置は例えば能力が比較的低いUEであっても良く、該第二類ユーザ装置は例えば能力が比較的高いUEであっても良く、本実施例はこれに限定されない。
【００７０】
本実施例の他の実施方式では、基地局は、上述の指示情報を送信するほかに、さらに失効指示情報も実施例1に記載のように送信する。この場合、該指示情報及び該失効指示情報を受信したUEは、該失効指示情報に基づいて、又は、さらにそれ自身の能力も考慮して、該セルが該UEにとってアクセスオンリーのセルであるか、それとも、非アクセスオンリーのセルであるかを確定することができる。
【００７１】
例えば、前記指示情報により、前記セルがアクセスオンリーのセルであると指示されていると同時に、該セルは動的に開閉可能である場合、該セルの基地局は、UEに、該セルの動的開閉に関する情報を送信し、この情報は、動的開閉情報と略称され、例えば、動的開閉パターン（pattern）である。ここでの動的開閉情報は、上述の失効指示情報とされる。高能力のUEは、該指示情報及び該動的開閉情報を同時に受信し、そして、該動的開閉情報に基づいて、該高能力UEが該セルの動的開閉の過程において正常に該セルにキャンプし得ると確認することができた場合、該高能力UEは、該セルが非アクセスオンリーのセルであると確定しても良い。低能力のUEは、該指示情報及び該動的開閉情報を同時に受信し、そして、該動的開閉情報に基づいて、該低能力UEが該セルの動的開閉の過程において正常に該セルにキャンプすることができないと確認できれば、該低能力のUEは、該セルがアクセスオンリーのセルであると確定しても良い。
【００７２】
本実施例の一実施方式では、該ユーザ装置が前記指示情報を受信する時にランダムアクセス（Random  Access、RA）を行っており、且つ該ランダムアクセスプロセスが未完成である場合、該ユーザ装置は、該セルをセル選択又は再選択のための候補セルの一つとしても良い。
【００７３】
本実施例の他の実施方式では、該ユーザ装置が前記指示情報を受信する時にランダムアクセスを行わない場合、該ユーザ装置は、該セルをセル選択又は再選択のための候補セルの一つとせず、この時に、該ユーザ装置は、該セルに関する情報を記憶しても良い。例えば、セル標識（ID）、セル周波数、及び／又は、セル状態などを、後続のセル選択又は再選択のための参考として記憶しても良い。ここでのセル状態は、前記セルがアクセスオンリーのセルであることを含んでも良く、他の内容を含んでも良く、本実施例はこれに限定されない。
【００７４】
本実施例の他の実施方式では、該セルに関する上述の情報を記憶した後に、該ユーザ装置がランダムアクセスを行っており、且つ該ランダムアクセスプロセスが未完成であり、且つ該ユーザが間もなくセル選択又は再選択を一回起動する場合、該ユーザ装置は、該セルをセル選択又は再選択のための候補セルの一つとしても良く、そして、選択又は再選択の過程において前に記憶されている該セルに関する情報を用いて該候補セルに対して比較及び評価を行うことができる。
【００７５】
本実施例では、該セルがアクセスオンリーのセルであると確定すると、該UEは、該セルにキャンプしたいが、アクセスしたくないときに、該セルにキャンプすることを放棄しても良く、又は、アクセスしたいときに、先にキャンプするプロセスを起動し、そして、成功裏にキャンプすると直ぐに該セルへのランダムアクセスを起動しても良い。これにより、UEの適切なセルへの選択を加速することができる。
【００７６】
本実施例の一実施方式では、UEが成功裏に該セルにキャンプすると直ぐにタイマーを起動させても良く、該タイマーの制限時間内に該UEが該セルへのランダムアクセスを起動していない場合、該UEは該タイマーが切れた後にセル再選択を行っても良い。また、該タイマーの制限時間内に、該UEが該セルへのランダムアクセスを起動すると、該タイマーは直ぐに停止しても良く、該UEは正常なアクセスプロセスを行っても良い。
【００７７】
本実施例では、実施例1に対応して、UEは、システム情報（例えば、共通RRCシグナリング又はPBCHチャネル）を受信することにより基地局の指示を把握しても良く、ユーザの専用RRCシグナリングを受信することにより基地局の指示を把握しても良い。本実施例はこれに限定されない。
【００７８】
例えば、該UEは、該セルと接続されている状態にあり、即ち、RRC_CONNECTEDの状態を保っているとする。該セルの基地局が、該UEにRRCConnectionReleaseシグナリングを送信する時に、即ち、該UEが該セルとのRRC接続を切ると指示する時に、該セルは、RRCConnectionReleaseシグナリングに該指示を含めることにより、UEに、該セルが“アクセスオンリー”又は“非アクセスオンリー”であるかを知らせることができる。該UEは、該基地局とのRRC接続を切ると直ぐにセル選択又は再選択を行い、且つ、選択又は再選択の過程において該基地局をセル再選択のための候補基地局としない。該UEはさらに該基地局に関する情報を記憶しても良く、該UEが再びランダムアクセスを開始することにより、ある基地局との接続を試みる時に、ランダムアクセスを行っている過程において、該UEはさらにセル再選択を行うことができ、また、ランダムアクセスプロセスとともに行われているセル再選択において“アクセスオンリー”のセルを今回のセル再選択のための候補基地局の一つとすることもできる。
【００７９】
本実施例における方法により、UEは、受信したセルの状態（アクセスオンリー）に基づいて、該セルにキャンプ／アクセスするかを確定することができるため、UEの適切なセルへの選択又は再選択を加速することができる。
【００８０】
本発明の実施例はさらにセル選択装置を次の実施例5に記載のように提供する。該装置が問題を解決する原理は実施例4の方法に類似したので、その具体的な実施は実施例4における方法の実施を参照することができ、内容が同じである重複説明が省略される。
【実施例５】
【００８１】
本発明の実施例はセル選択装置を提供する。図5は該装置500の構成図であり、図5に示すように、該装置は次のユニットを含む。
【００８２】
受信ユニット501：セルの基地局が送信した指示情報を受信し；
確定ユニット502：前記指示情報に基づいて、前記セルがアクセスオンリーのセルであるかを確定する。
【００８３】
本実施例の一実施方式では、前記指示情報により、前記セルがアクセスオンリーのセルであると指示されている場合、前記確定ユニット502はこれに基づいて前記セルがアクセスオンリーのセルであると確定する。
【００８４】
本実施例の他の実施方式では、前記指示情報により、前記セルがアクセスオンリーのセルであると指示されている場合、前記確定ユニット502は、受信されている、前記基地局が送信した失効指示情報及び／又はUEの能力に基づいて、前記セルがアクセスオンリーのセルであるかを確定する。
【００８５】
例えば、前記装置の所在するユーザ装置が第一類ユーザ装置である時に、前記確定ユニット502は、前記セルがアクセスオンリーのセルであると確定しても良い。前記装置の所在するユーザ装置が第二類ユーザ装置である時に、前記確定ユニット502は、前記セルが非アクセスオンリーのセルであると確定しても良い。
【００８６】
本実施例の他の実施方式では、前記指示情報により、前記セルが非アクセスオンリーのセルであると指示されている場合、前記確定ユニット502は、前記セルが非アクセスオンリーのセルであると確定し、この時に、UEは、常用手段に従ってセル選択又は再選択の処理を行っても良い。
【００８７】
本実施例の一実施方式では、前記装置はさらに次のユニットを含んでも良く、即ち、
判断ユニット503：前記受信ユニット501が前記指示情報を受信する時に、前記装置の所在するユーザ装置がランダムアクセスを行っているかを判断し；
処理ユニット504：前記判断ユニット503の判断結果が、前記ユーザ装置がランダムアクセスを行っていることである時に、前記セルを、前記ユーザ装置がセル再選択を行うための候補セルの一つとし、前記判断ユニット503の判断結果が、前記ユーザ装置がランダムアクセスを行わないことである時に、前記セルに関する情報を記憶する。そのうち、前記セルに関する情報は、前記セルのセル標識（ID）、セル周波数、及び／又は、セル状態を含む。そのうち、前記セル状態は、前記セルがアクセスオンリーのセルであることを含む。
【００８８】
本実施例の一実施方式では、前記処理ユニット504はさらに、前記ユーザ装置がランダムアクセスを行っており、且つ該ランダムアクセスプロセスが未完成であり、且つ該ユーザ装置が間もなくセル選択又は再選択を一回起動する時に、該セルをセル選択又は再選択のための候補セルの一つとし、また、選択又は再選択の過程において前に記憶されている該セルに関する情報を用いて該候補セルに対して比較及び評価を行うために用いられる。
【００８９】
本実施例の一実施方式では、前記装置はさらに次のユニットを含んでも良く、即ち、
アクセス制御ユニット505：前記確定ユニット502により、前記セルがアクセスオンリーのセルであると確定されている時に、前記装置の所在するユーザ装置が前記セルにキャンプすると直ぐに予め設定されたタイマーを起動させ、前記タイマーの制限時間内に前記ユーザ装置が前記セルへのランダムアクセスを起動しているかを判断し、起動されていなければ、前記タイマーが切れた後にセル選択又は再選択を行い、起動されていれば、前記タイマーの計時を停止させる。
【００９０】
本実施例における装置によれば、UEは、受信したセルの状態（アクセスオンリー）に基づいて該セルにキャンプ／アクセスするかを確定することができるため、UEの適切なセルへの選択又は再選択を加速することができる。
【実施例６】
【００９１】
本発明の実施例はユーザ装置を提供し、該ユーザ装置は実施例5に記載のセル選択装置を含む。
【００９２】
図6は本発明の実施例におけるユーザ装置600のシステム構成を示すブロック図である。図6に示すように、該ユーザ装置600は中央処理装置601及び記憶器602を含んでも良く、記憶器602は中央処理装置601に結合される。なお、該図は例示に過ぎず、即ち、他の類型の構造を用いて該構造を補充や代替することで、電気通信機能や他の機能を実現することもできる。
【００９３】
一実施方式では、セル選択装置の機能は中央処理装置601に集積することができる。そのうち、中央処理装置601は、
セルの基地局が送信した指示情報を受信し；
前記指示情報に基づいて、前記セルがアクセスオンリーのセルであるかを確定するように構成されても良い。
【００９４】
一実施方式では、前記指示情報により、前記セルがアクセスオンリーのセルであると指示されていれば、前記中央処理装置601は、前記セルがクセスオンリーのセルであると確定するように構成される。
【００９５】
一実施方式では、前記指示情報により、前記セルがアクセスオンリーのセルであると指示されていれば、前記中央処理装置601は、受信された、前記基地局が送信した失効指示情報及び／又はUE自身の能力に基づいて、前記セルがアクセスオンリーのセルであるかを確定するように構成される。
【００９６】
そのうち、前記ユーザ装置が第一類ユーザ装置である場合、前記中央処理装置601は、前記セルがアクセスオンリーのセルであると確定するように構成され；
前記ユーザ装置が第二類ユーザ装置である場合、前記中央処理装置601は、前記セルが非アクセスオンリーのセルであると確定するように構成される。
【００９７】
一実施方式では、前記指示情報により、前記セルが非アクセスオンリーのセルであると指示されていれば、前記中央処理装置601は、前記セルが非アクセスオンリーのセルであると確定するように構成される。
【００９８】
一実施方式では、前記中央処理装置601はさらに、前記指示情報が受信される時に前記ユーザ装置がランダムアクセスを行っている時に、前記セルをセル再選択又は選択のための候補セルの一つとするように構成される。
【００９９】
一実施方式では、前記中央処理装置601はさらに、前記指示情報が受信される時に前記ユーザ装置がランダムアクセスを行わない時に、前記セルに関する情報を記憶器602に記憶するように構成される。そのうち、前記セルに関する情報は、前記セルのセル標識（ID）、セル周波数、及び／又は、セル状態を含む。そのうち、前記セル状態は、前記セルがアクセスオンリーのセルであることを含む。
【０１００】
一実施方式では、前記中央処理装置601はさらに、前記ユーザ装置がランダムアクセスを行っており、且つ該ランダムアクセスプロセスが未完成であり、且つ該ユーザ装置が間もなくセル選択又は再選択を一回行う時に、該セルをセル選択又は再選択のための候補セルの一つとし、また、選択又は再選択の過程において前に記憶されている該セルに関する情報を用いて該候補セルに対して比較及び評価を行うように構成される。
【０１０１】
一実施方式では、前記セルがアクセスオンリーのセルであると確定されているときに、前記中央処理装置601は、前記ユーザ装置が前記セルにキャンプすると直ぐにタイマーを起動させるように構成され、前記タイマーの制限時間内に、前記ユーザ装置が前記セルへのランダムアクセスを起動していなければ、中央処理装置601は、前記タイマーが切れた後にセル再選択を行うように構成される。
【０１０２】
他の実施方式では、セル選択装置は中央処理装置601と別々に配置されても良く、例えば、セル選択装置は中央処理装置601に接続されるチップとして構成されても良く、中央処理装置601の制御によりセル選択装置の機能を実現することができる。
【０１０３】
図6に示すように、該ユーザ装置600はさらに、通信モジュール603、入力ユニット604、音声処理ユニット605、表示器606、電源607を含んでも良い。なお、ユーザ装置600は必ずしも図6に示す全ての部品を含む必要がない。また、ユーザ装置600はさらに図6に示していない部品を含んでも良く、これについては従来技術を参照することができる。
【０１０４】
図6に示すように、中央処理装置601は制御器又はコントローラと称される場合もあり、マイクロプロセッサー又は他の処理装置及び／又は論理装置を含んでも良く、該中央処理装置601は入力を受信してユーザ装置600の各部品の操作を制御する。
【０１０５】
そのうち、記憶器602は、例えば、バッファ、フラッシュメモリ、HDD、移動可能な媒体、揮発性記憶器、非揮発記憶器又は他の適切な装置のうちの一つ又は複数であっても良い。上述の情報を記憶することができ、また、情報処理用のプログラムを記憶することもできる。中央処理装置601は、該記憶器602に記憶されている該プログラムを、情報の記憶或処理などを実現するために、実行することができる。他の部品の機能は従来に類似ししたので、ここでは詳しい説明を省略する。また、ユーザ装置600の各部品は、専用ハードウェア、ファームウェア、ソフトウェア又はその組み合わせにより実現することもでき、これらもすべて本発明の範囲に属する。
【０１０６】
本実施例におけるユーザ装置により、受信されているセルの状態（アクセスオンリー）に基づいて該セルにキャンプ／アクセスするかを確定することができるため、適切なセルへの選択又は再選択を加速することができる。
【実施例７】
【０１０７】
本発明の実施例はさらに通信システムを提供し、それは実施例3に記載の基地局及び実施例6に記載のユーザ装置を含む。
【０１０８】
図7は本発明の実施例における通信システムの構成図である。図7に示すように、該通信システム700は、基地局701及びユーザ装置702を含む。そのうち、基地局701は、実施例3に記載の基地局300であってもよく、ユーザ装置702は、実施例6に記載のユーザ装置600であっても良い。
【０１０９】
そのうち、基地局701は、ユーザ装置に指示情報を送信するように構成され、前記指示情報は、前記基地局によりカバーされるセルがアクセスオンリーのセルであるかを指示し；
ユーザ装置702は、前記指示情報を受信し、そして、前記指示情報に基づいて前記セルがクセスオンリーのセルであるかを確定するように構成される。
【０１１０】
実施例3及び実施例6では既に基地局及びユーザ装置について詳細に説明したため、その内容がここに合併され、ここでの記載が省略される。
【０１１１】
本実施例における通信システムにより、UEは、受信されているセルの状態（アクセスオンリー）に基づいて該セルにキャンプ／アクセスするかを確定することができるため、UEの適切なセルへの選択又は再選択を加速することができる。
【０１１２】
本発明の実施例はさらにコンピュータ可読プログラムを提供し、そのうち、基地局中で前記プログラムを実行する時に、前記プログラムは、コンピュータに、前記基地局中で実施例1に記載のセル選択方法を実行させる。
【０１１３】
本発明の実施例はさらにコンピュータ可読プログラムを記憶した記憶媒体を提供し、そのうち、前記コンピュータ可読プログラム、コンピュータに、基地局中で実施例1に記載のセル選択方法を実行させる。
【０１１４】
本発明の実施例はさらにコンピュータ可読プログラムを提供し、そのうち、ユーザ装置中で前記プログラムを実行する時に、前記プログラムは、コンピュータに、前記ユーザ装置中で実施例4に記載のセル選択方法を実行させる。
【０１１５】
本発明の実施例はさらにコンピュータ可読プログラムを記憶した記憶媒体を提供し、そのうち、前記コンピュータ可読プログラムは、コンピュータに、ユーザ装置中で実施例4に記載のセル選択方法を実行させる。
【０１１６】
本発明の以上の装置及び方法は、ソフトウェア又はハードウェアにより実現されても良く、ハードウェアとソフトウェアとの組み合わせにより実現されても良い。本発明はさらに下記のようなコンピュータ読み取り可能なプログラムに関し、即ち、該プログラムは、ロジック部品により実行される時に、該ロジック部品に、上述の装置又は構造部品を実現させ、又は、該ロジック部品に、上述の各種の方法又はステップを実現させる。ロジック部品は、例えば、FPGA（Field  Programmable  Gate  Array）、マイクロプロセッサー、コンピュータに用いる処理器などであっても良い。本発明は更に、上述のプログラムを記憶した記憶媒体、例えば、ハードディスク、磁気ディスク、光ハードディスク、DVD、フラッシュメモリなどにも関する。
【０１１７】
以上、本発明の好ましい実施形態を説明したが、本発明はこのような実施形態に限定されず、本発明の趣旨を離脱しない限り、本発明に対するあらゆる変更は本発明の技術的範囲に属する。
【図１】
2017504268.tif 000003
【図２】
2017504268.tif 000004
【図３】
2017504268.tif 000005
【図４】
2017504268.tif 000006
【図５】
2017504268.tif 000007
【図６】
2017504268.tif 000008
【図７】
2017504268.tif 000009
【国際調査報告】
2017504268.tif 000010
2017504268.tif 000011
2017504268.tif 000012
2017504268.tif 000013